(57)【要約】      （修正有）【課題】挿入穴が設けられた板部材が折れ曲がらない、高い強度を確保した物品支持体を提供する。【解決手段】挿入穴１Ｈが設けられた上面板１と、前記上面板１の端縁で延設部分を下方へ折曲することによって形成される側面板２と、挿入穴が設けられた中間板と、を備える物品支持体１００であって、前記側面板２は、隣り合う前記側面板２同士で連結され、前記中間板３は、前記側面板２で囲まれた領域内で前記上面板１から離間した位置に配置され、前記上面板１の挿入穴１Ｈと前記中間板の挿入穴によって物品を保持する、ことを特徴とする物品支持体。【選択図】図１
2012246003.tif 000002
【特許請求の範囲】
【請求項１】
挿入穴が設けられた上面板と、
前記上面板の端縁で延設部分を下方へ折曲することによって形成される側面板と、
挿入穴が設けられた中間板と、を備える物品支持体であって、
前記側面板は、隣り合う前記側面板同士で連結され、
前記中間板は、前記側面板で囲まれた領域内で前記上面板から離間した位置に配置され、
前記上面板の挿入穴と前記中間板の挿入穴によって物品を保持する、ことを特徴とする物品支持体。
【請求項２】
前記側面板は、該側面板の内面側に重ね合わされる内側面板を具備し、
前記内側面板は、前記側面板の端縁で延設部分を折返すことによって形成される、ことを特徴とする請求項１に記載の物品支持体。
【請求項３】
前記中間板は、前記内側面板の端縁で延設部分を折曲することによって形成される、ことを特徴とする請求項２に記載の物品支持体。
【請求項４】
前記中間板は、該中間板の端縁に差込片を具備し、
前記差込片は、前記側面板に設けられた切込部に挿入される、ことを特徴とする請求項１から請求項３のいずれか一項に記載の物品支持体。
【請求項５】
前記中間板は、該中間板の端縁に差込片を具備し、
前記差込片は、前記内側面板に設けられた切込部に挿入される、ことを特徴とする請求項２から請求項３のいずれか一項に記載の物品支持体。
【請求項６】
前記中間板は、該中間板の梁となる補強板を具備し、
前記補強板は、前記中間板の端縁で延設部分を折曲することによって形成される、ことを特徴とする請求項１から請求項５のいずれか一項に記載の物品支持体。
【請求項７】
前記補強板は、物品に敷かれる底面板を具備し、
前記底面板は、前記補強板の端縁で延設部分を折曲することによって形成される、ことを特徴とする請求項６に記載の物品支持体。
【請求項８】
前記上面板と前記中間板は、前記挿入穴の径方向に突設された支持片を具備し、
前記上面板の支持片と前記中間板の支持片は、互いに位相が異なる位置に設けられる、ことを特徴とする請求項１から請求項７のいずれか一項に記載の物品支持体。
【発明の詳細な説明】
【技術分野】
【０００１】
本発明は、物品支持体の技術に関する。より詳細には、高い強度を確保する物品支持体の技術に関する。
【背景技術】
【０００２】
従来より、ビンなどの物品を保持する物品支持体が知られている（例えば特許文献１参照）。物品支持体は、複数の挿入穴が設けられた板部材を備えており、それぞれの挿入穴が物品を支えることによって該物品を保持する。
【０００３】
しかし、このような物品支持体は、挿入穴が設けられた板部材の強度が低いため、該板部材が折れ曲がるという問題点を有していた。具体的に説明すると、複数の挿入穴が設けられた板部材は、挿入穴同士が隣接しているために強度が低く、隣り合う挿入穴の間の部分で該板部材が折れ曲がるという問題点を有していたのである。そして、挿入穴が設けられた板部材が折れ曲がった場合は、美感を損なうとともに、物品を安定して保持することができなかった。
【先行技術文献】
【特許文献】
【０００４】
【特許文献１】特許第３９５４４２２号公報
【発明の概要】
【発明が解決しようとする課題】
【０００５】
本発明は、このような問題を解決すべくなされたものであり、挿入穴が設けられた板部材が折れ曲がらない、高い強度を確保した物品支持体を提供することを目的としている。
【課題を解決するための手段】
【０００６】
次に、この課題を解決するための手段を説明する。
【０００７】
即ち、第１の発明は、
挿入穴が設けられた上面板と、
前記上面板の端縁で延設部分を下方へ折曲することによって形成される側面板と、
挿入穴が設けられた中間板と、を備える物品支持体であって、
前記側面板は、隣り合う前記側面板同士で連結され、
前記中間板は、前記側面板で囲まれた領域内で前記上面板から離間した位置に配置され、
前記上面板の挿入穴と前記中間板の挿入穴によって物品を保持する、としたものである。
【０００８】
第２の発明は、第１の発明に係る物品支持体において、
前記側面板は、該側面板の内面側に重ね合わされる内側面板を具備し、
前記内側面板は、前記側面板の端縁で延設部分を折返すことによって形成される、としたものである。
【０００９】
第３の発明は、第２の発明に係る物品支持体において、
前記中間板は、前記内側面板の端縁で延設部分を折曲することによって形成される、としたものである。
【００１０】
第４の発明は、第１から第３のいずれかの発明に係る物品支持体において、
前記中間板は、該中間板の端縁に差込片を具備し、
前記差込片は、前記側面板に設けられた切込部に挿入される、としたものである。
【００１１】
第５の発明は、第２から第３のいずれかの発明に係る物品支持体において、
前記中間板は、該中間板の端縁に差込片を具備し、
前記差込片は、前記内側面板に設けられた切込部に挿入される、としたものである。
【００１２】
第６の発明は、第１から第５のいずれかの発明に係る物品支持体において、
前記中間板は、該中間板の梁となる補強板を具備し、
前記補強板は、前記中間板の端縁で延設部分を折曲することによって形成される、としたものである。
【００１３】
第７の発明は、第６の発明に係る物品支持体において、
前記補強板は、物品に敷かれる底面板を具備し、
前記底面板は、前記補強板の端縁で延設部分を折曲することによって形成される、としたものである。
【００１４】
第８の発明は、第１から第７のいずれかの発明に係る物品支持体において、
前記上面板と前記中間板は、前記挿入穴の径方向に突設された支持片を具備し、
前記上面板の支持片と前記中間板の支持片は、互いに位相が異なる位置に設けられる、としたものである。
【発明の効果】
【００１５】
本発明の効果として、以下に示すような効果を奏する。
【００１６】
第１の発明によれば、側面板が隣り合う側面板同士で連結され、中間板が側面板で囲まれた領域内で上面板から離間した位置に配置されるため、高い強度を確保できる。
【００１７】
第２の発明によれば、側面板の内面側に重ね合わされる内側面板を具備するため、高い強度を確保できる。また、内側面板が側面板の端縁で延設部分を折返すことによって形成されるため、組み立てが容易となる。
【００１８】
第３の発明によれば、中間板が内側面板の端縁で延設部分を折曲することによって形成されるため、組み立てが容易となる。
【００１９】
第４の発明によれば、中間板の端縁に設けられた差込片が側面板に設けられた切込部に挿入されるため、高い強度を確保できる。
【００２０】
第５の発明によれば、中間板の端縁に設けられた差込片が内側面板に設けられた切込部に挿入されるため、高い強度を確保できる。
【００２１】
第６の発明によれば、中間板の梁となる補強板を具備するため、高い強度を確保できる。また、補強板が中間板の端縁で延設部分を折曲することによって形成されるため、組み立てが容易となる。
【００２２】
第７の発明によれば、物品に敷かれる底面板を具備するため、物品の重量によって物品支持体を押さえることができる。また、底面板が補強板の延設部分を折曲することによって形成されるため、組み立てが容易となる。
【００２３】
第８の発明によれば、挿入穴の径方向に突設された支持片を具備するため、物品を安定させることができる。また、上面板の支持片と中間板の支持片が互いに位相が異なる位置に設けられるため、物品を挿入する際の抵抗を減らすことができる。
【図面の簡単な説明】
【００２４】
【図１】物品支持体１００の斜視図。
【図２】物品支持体１００の斜視図。
【図３】物品支持体１００の展開図。
【図４】物品支持体１００の組み立て図。
【図５】物品支持体１００の組み立て図。
【図６】物品支持体１００の組み立て図。
【図７】物品支持体１００の組み立て図。
【図８】物品支持体１００の組み立て図。
【図９】物品支持体１００の組み立て図。
【図１０】物品支持体１００の断面図。
【図１１】物品支持体１００の上面図。
【図１２】物品支持体１００に補強部材Ｒを組み込む場合の組み立て図。
【発明を実施するための形態】
【００２５】
まず、図１及び図２を用いて、本発明の実施形態に係る物品支持体１００の構成について説明する。
【００２６】
図１は、物品支持体１００を斜め上方から見た斜視図である。また、図２は、物品支持体１００を斜め下方から見た斜視図である。なお、物品支持体１００の長手方向を前後方向、物品支持体１００の短手方向を左右方向、そして、重力の作用方向を上下方向と定義して図中に示す。
【００２７】
物品支持体１００は、ビンなどの物品Ｖを保持するものである（図１０参照）。物品支持体１００は、主に上面板１と、側面板２と、中間板３と、で構成される。
【００２８】
上面板１は、挿入穴１Ｈが設けられた平板である。本実施形態において、上面板１は、物品支持体１００の前後方向に４つの挿入穴１Ｈが設けられている。上面板１は、所定の形状に切り抜かれた厚紙の一部分であり（図３参照）、該厚紙から物品支持体１００が組み立てられることによって形成される。
【００２９】
側面板２は、上面板１に連設された平板である。本実施形態において、側面板２は、上面板１の端縁で延設部分を下方へ折曲することによって形成される。即ち、側面板２は、上面板１の各端縁から該上面板１に対して垂直に配置される。側面板２は、所定の形状に切り抜かれた厚紙の一部分であり（図３参照）、該厚紙から物品支持体１００が組み立てられることによって形成される。
【００３０】
中間板３は、挿入穴３Ｈが設けられた平板である。本実施形態において、中間板３は、物品支持体１００の前後方向に４つの挿入穴３Ｈが設けられている。そして、中間板３は、側面板２に囲まれた領域内で上面板１から離間した位置に該上面板１に対して平行に配置される。中間板３は、所定の形状に切り抜かれた厚紙の一部分であり（図３参照）、該厚紙から物品支持体１００が組み立てられることによって形成される。
【００３１】
このような構成により、物品支持体１００は、上面板１の挿入穴１Ｈと中間板３の挿入穴３Ｈによって物品Ｖを安定して保持できる（図１０参照）。つまり、物品支持体１００は、上下二つの挿入穴１Ｈ・３Ｈによって物品Ｖを支えるため、物品Ｖを安定して保持できるのである。
【００３２】
また、本実施形態に係る物品支持体１００は、内側面板４と、補強板５と、底面板６と、を具備する。
【００３３】
内側面板４は、側面板２の内面側に重ね合わされた平板である。本実施形態において、内側面板４は、側面板２の端縁で延設部分を折返すことによって形成される。即ち、内側面板４は、側面板２の端縁から該側面板２の内面側に重なるように配置される。内側面板４は、所定の形状に切り抜かれた厚紙の一部分であり（図３参照）、該厚紙から物品支持体１００が組み立てられることによって形成される。
【００３４】
補強板５は、中間板３の梁となる平板である。本実施形態において、補強板５は、中間板３の端縁で延設部分を下方へ折曲することによって形成される。即ち、補強板５は、中間板３の各端縁から該中間板３に対して垂直に配置される。補強板５は、所定の形状に切り抜かれた厚紙の一部分であり（図３参照）、該厚紙から物品支持体１００が組み立てられることによって形成される。
【００３５】
底面板６は、物品に敷かれる平板である。本実施形態において、底面板６は、補強板５の端縁で延設部分を折曲することによって形成される。即ち、底面板６は、補強板５の端縁から上面板１及び中間板３に対して平行に配置される。底面板６は、所定の形状に切り抜かれた厚紙の一部分であり（図３参照）、該厚紙から物品支持体１００が組み立てられることによって形成される。
【００３６】
次に、図３から図９を用いて、物品支持体１００の組み立て工程を説明する。また、物品支持体１００が有する特徴点について説明する。
【００３７】
図３は、物品支持体１００を展開した状態の斜視図である。図４から図９は、物品支持体１００の組み立て工程を示す斜視図である。
【００３８】
ここで、説明の便宜のため、物品支持体１００の前後方向に対して垂直に配置される側面板２を第一側面板２１、物品支持体１００の左右方向に対して垂直に配置される側面板２を第二側面板２２と定義する。また、第一側面板２１の内面側に重なるように配置される内側面板４を第一内側面板４１、第二側面板２２の内面側に重なるように配置される内側面板４を第二内側面板４２と定義する。
【００３９】
第一側面板２１は、上面板１に連設されている（図３参照）。詳細に説明すると、第一側面板２１は、上面板１の端縁となる折目線１ｆを介して延設された部分である。物品支持体１００を組み立てる際の第一工程は、第一側面板２１を折目線１ｆに沿って下方へ折曲することである（図４参照）。これにより、第一側面板２１は、上面板１の各端縁から該上面板１に対して垂直に配置される。
【００４０】
第一内側面板４１は、第一側面板２１に連設されている（図３参照）。詳細に説明すると、第一内側面板４１は、第一側面板２１の端縁となる折目線２ｆを介して延設された部分である。物品支持体１００を組み立てる際の第二工程は、第一内側面板４１を折目線２ｆに沿って内面側に折返すことである（図５参照）。これにより、第一内側面板４１は、第一側面板２１の端縁から該第一側面板２１の内面側に重なるように配置される。
【００４１】
第二側面板２２は、上面板１に連設されている（図３参照）。詳細に説明すると、第二側面板２２は、上面板１の端縁となる折目線１ｆを介して延設された部分である。物品支持体１００を組み立てる際の第三工程は、第二側面板２２を折目線１ｆに沿って下方へ折曲することである（図６参照）。このとき、第一側面板２１と第二側面板２２の間には、連結手段となる折込フラップ７が設けられているため（図３参照）、該折込フラップ７の折目線７ｆに沿って折返しながら第二側面板２２を折曲することになる。これにより、第二側面板２２は、上面板１の各端縁から該上面板１に対して垂直に配置される。また、第一側面板２１と第二側面板２２は、折込フラップ７によって連結された状態となる。
【００４２】
第二内側面板４２は、第二側面板２２に連設されている（図３参照）。詳細に説明すると、第二内側面板４２は、第二側面板２２の端縁となる折目線２ｆを介して延設された部分である。物品支持体１００を組み立てる際の第四工程は、第二内側面板４２を折目線２ｆに沿って内面側に折返すことである（図７参照）。このとき、一方の第二内側面板４２には、後述するように中間板３が連設されているため（図３参照）、該中間板３を折目線４ｆに沿って折り曲げた状態で第二内側面板４２を折返すことになる。また、中間板３には、後述するように補強板５が連設されているため（図３参照）、該補強板５を折目線３ｆに沿って折り曲げた状態で第二内側面板４２を折返すことになる。これにより、第二内側面板４２は、第二側面板２２の端縁から該第二側面板２２の内面側に重なるように配置される。
【００４３】
このような構成により、物品支持体１００は、側面板２（第一側面板２１、第二側面板２２）の内面側に重ね合わされる内側面板４（第一内側面板４１、第二内側面板４２）を具備するため、高い強度を確保できる。また、内側面板４（第一内側面板４１、第二内側面板４２）が側面板２（第一側面板２１、第二側面板２２）の端縁で延設部分を折返すことによって形成されるため、組み立てが容易となる。
【００４４】
なお、本実施形態に係る物品支持体１００は、第一内側面板４１に連設された第一支持板８１を具備する（図３参照）。第一支持板８１は、折目線８ｆに沿って折曲されるため、上面板１の内面側に重なるように配置される（図５参照）。このように、物品支持体１００は、第一支持板８１によって内側から上面板１を支える構造を採用している。従って、物品支持体１００は、高い強度を確保できる。
【００４５】
また、本実施形態に係る物品支持体１００は、第二内側面板４２に連設された第二支持板８２を具備する（本物品支持体１００においては左方の第二内側面板４２に連設されている）（図３参照）。第二支持板８２は、折目線８ｆに沿って折曲されるため、上面板１の内面側に重なるように配置される（図７参照）。このように、物品支持体１００は、第二支持板８２によって内側から上面板１を支える構造を採用している。従って、物品支持体１００は、高い強度を確保できる。
【００４６】
更に、本実施形態に係る物品支持体１００は、第二内側面板４２に中間板３が連設されている（本物品支持体１００においては右方の第二内側面板４２に連設されている）（図３参照）。詳細に説明すると、中間板３は、第二内側面板４２の端縁となる折目線４ｆを介して延設された部分である。物品支持体１００を組み立てる際の第五工程は、中間板３を折目線４ｆに沿って上面板１に平行となるように折曲することである（図８参照）。このとき、中間板３には、後述するように補強板５が連設されているため、該補強板５を折目線３ｆに沿って折り曲げた状態で中間板３を折返すことになる。これにより、中間板３は、第一側面板２１や第二側面板２２に囲まれた領域内で上面板１から離間した位置に該上面板１に対して平行に配置される。
【００４７】
このような構成により、物品支持体１００は、側面板２（第一側面板２１、第二側面板２２）が隣り合う側面板２（第一側面板２１、第二側面板２２）同士で連結され、中間板３が側面板２で囲まれた領域内で上面板１から離間した位置に配置されるため、高い強度を確保できる。また、中間板３が内側面板４（第二内側面板４２）の端縁で延設部分を折曲することによって形成されるため、組み立てが容易となる。
【００４８】
なお、本実施形態に係る物品支持体１００は、中間板３の端縁に差込片９を具備する（図３参照）。詳細に説明すると、差込片９は、折目線３ｆに沿って複数設けられており、中間板３の端縁から突出するように配置される。一方、本実施形態に係る物品支持体１００は、第一内側面板４１及び第二内側面板４２に切込部４Ｃが設けられている（図３参照）。詳細に説明すると、切込部４Ｃは、中間板３が折目線４ｆに沿って折曲された際に該中間板３に対して平行となる位置に設けられている。これにより、中間板３が折目線４ｆに沿って折曲されると、差込片９が切込部４Ｃに挿入される。
【００４９】
このような構成により、物品支持体１００は、中間板３の端縁に設けられた差込片９が内側面板４（第一内側面板４１、第二内側面板４２）に設けられた切込部４Ｃに挿入されるため、高い強度を確保できる。また、差込片９が切込部４Ｃに挿入されることによって中間板３の位置が定まるため、組み立てが容易となる。
【００５０】
なお、本実施形態に係る物品支持体１００では、第一内側面板４１及び第二内側面板４２に切込部４Ｃを設けているが、第一側面板２１と第二側面板２２にも切込部２Ｃ（図示せず）を設けて差込片９が切込部２Ｃ・４Ｃに挿入されるとしても良い。更に、内側面板４を有しない又は内側面板４を有しない部分がある別実施形態に係る物品支持体２００（図示せず）では、差込片９が切込部２Ｃにのみ挿入される構成であっても良い。このような構成においても、高い強度を確保でき、組み立てが容易となる。
【００５１】
補強板５は、中間板３に連設されている（図３参照）。詳細に説明すると、補強板５は、中間板３の端縁となる折目線３ｆを介して延設された部分である。物品支持体１００を組み立てる際の第六工程は、補強板５を折目線３ｆに沿って下方へ折曲することである（図８参照）。これにより、補強板５は、中間板３の端縁から該中間板３に対して垂直に配置される。
【００５２】
このような構成により、物品支持体１００は、中間板３の梁となる補強板５を具備するため、高い強度を確保できる。また、補強板５が中間板３の端縁で延設部分を折返すことによって形成されるため、組み立てが容易となる。
【００５３】
底面板６は、補強板５に連設されている（図３参照）。詳細に説明すると、底面板６は、補強板５の端縁となる折目線５ｆを介して延設された部分である。物品支持体１００を組み立てる際の第七工程は、底面板６を折目線５ｆに沿って折曲することである（図９参照）。これにより、底面板６は、上面板１及び中間板３に対して平行に配置される。
【００５４】
このような構成により、物品支持体１００は、物品Ｖに敷かれる底面板６を具備するため、物品Ｖの重量によって物品支持体１００を押さえることができる（図１０参照）。このため、物品支持体１００を納める外箱Ｂの上蓋Ｂ１を開けた際に、他の物品Ｖが物品支持体１００を押さえるため、上蓋Ｂ１とともに物品支持体１００が持ち上がらない。また、一の物品Ｖを挿入穴１Ｈ・３Ｈから取り出す際に、他の物品Ｖが物品支持体１００を押さえるため、物品Ｖとともに物品支持体１００が持ち上がらない。更に、底面板６が補強板５の延設部分を折曲することによって形成されるため、組み立てが容易となる。
【００５５】
以上が本実施形態に係る物品支持体１００の組み立て工程の説明と物品支持体１００が有する特徴点についての説明である。以下では、本実施形態に係る物品支持体１００の他の特徴点について説明する。
【００５６】
本物品支持体１００の上面板１は、挿入穴１Ｈの径方向に突設された支持片１１を具備する（図１、図３参照）。本実施形態において、支持片１１は、挿入穴１Ｈの周方向に９０度毎に配置されている。また、本物品支持体１００の中間板３は、挿入穴３Ｈの径方向に突設された支持片３１を具備する（図２、図３参照）。本実施形態において、支持片３１は、挿入穴３Ｈの周方向に９０度毎に配置されている。
【００５７】
そして、図１１に示すように、上面板１の支持片１１と中間板３の支持片３１は、互いに位相が異なる位置に設けられている。つまり、上面板１と中間板３の支持片１１・３１は、互いに４５度位相が異なり、上方から見て重ならないように配置されている。なお、本実施形態における支持片１１と支持片３１は、互いに４５度位相がズレた位置に配置されているが、その角度について限定するものではない。
【００５８】
このような構成により、物品支持体１００は、挿入穴１Ｈ・３Ｈの径方向に突設された支持片１１・３１を具備するため、物品Ｖを安定させることができる。また、上面板１の支持片１１と中間板３の支持片３１が互いに位相が異なる位置に設けられるため、物品Ｖを挿入する際の抵抗を減らすことができる。更に、あらゆる方向の衝撃に対して物品Ｖを安定して保持できる。
【００５９】
また、図１２に示すように、本物品支持体１００は、補強部材Ｒを組み込むことを可能としている。補強部材Ｒは、挿入穴ＲＨが設けられた平板Ｒ１と端縁を下方へ折曲することによって形成される補強板Ｒ２で構成される。補強部材Ｒは、上面板１の内面側に配置された状態で第一内側面板４１及び第二内側面板４２が折返されることによって該物品支持体１００に組み込まれる。
【００６０】
このような構成により、物品支持体１００は、補強部材Ｒを組み込んだ場合、更に高い強度を確保できる。
【符号の説明】
【００６１】
１            上面板
１１          支持片
１Ｈ          挿入穴
１ｆ          折目線
２            側面板
２１          第一側面板
２２          第二側面板
２ｆ          折目線
３            中間板
３１          支持片
３Ｈ          挿入穴
３ｆ          折目線
４            内側面板
４１          第一内側面板
４２          第二内側面板
４ｆ          折目線
５            補強板
５ｆ          折目線
６            底面板
７            折込フラップ
８１          第一支持板
８２          第二支持板
９            差込片
１００        物品支持体
Ｖ            物品
【図１】
2012246003.tif 000003
【図２】
2012246003.tif 000004
【図３】
2012246003.tif 000005
【図４】
2012246003.tif 000006
【図５】
2012246003.tif 000007
【図６】
2012246003.tif 000008
【図７】
2012246003.tif 000009
【図８】
2012246003.tif 000010
【図９】
2012246003.tif 000011
【図１０】
2012246003.tif 000012
【図１１】
2012246003.tif 000013
【図１２】
2012246003.tif 000014